(57)【要約】【課題】本発明に課題は、ファンモータハーネスが損傷しにくく、かつ、電装品ユニットに水が侵入しにくいように、ファンモータハーネスを配線できる室外機を提供することにある。【解決手段】空気調和装置１の室外機３は、送風ファン３８と、室外熱交換器３０と、電装品ユニット４３と、ハーネス４６と、ハーネス固定具４７，４８とを備える。室外熱交換器は、送風ファンの後方に配置される。電装品ユニットは、送風ファンの側方、かつ、室外熱交換器の前方に配置され、基板を収納する。ハーネスは、電装品ユニットから送風ファンへと延びる。ハーネス固定具は、装着部４７ａ，４８ａと、支持部４７ｂ，４８ｂとを有する。装着部は、室外熱交換器に装着される。支持部は、ハーネスを支持する。ハーネスは、送風ファンの上側を通過しないようにハーネス固定具により固定される。【選択図】図５
2008138967.tif 000002
【特許請求の範囲】
【請求項１】
送風ファン（３８）と、
前記送風ファン（３８）の後方に配置される室外熱交換器（３０）と、
前記送風ファンの側方、かつ、前記室外熱交換器の前方に配置され、基板（８６）を収納する電装品ユニット（４３）と、
前記電装品ユニットから前記送風ファンへと延びるハーネス（４６）と、
前記室外熱交換器に装着される装着部（４７ａ，４８ａ）とハーネスを支持する支持部（４７ｂ，４８ｂ）とを有するハーネス固定具（４７，４８）と、
を備え、
前記ハーネスは、前記送風ファンの上側を通過しないように前記ハーネス固定具により固定される、
空気調和装置（１）の室外機（３）。
【請求項２】
前記ハーネス固定具は、前記装着部が前記室外熱交換器の一部を挟み込んで装着される、
請求項１に記載の空気調和装置（１）の室外機（３）。
【請求項３】
前記室外熱交換器は、１列熱交換器からなり、
前記ハーネス固定具は、前記１列熱交換器の前面に接する第１面（４７ｄ，４８ｄ）と、前記１列熱交換器の後面に接する第２面（４７ｅ，４８ｅ）とを有する、
請求項２に記載の空気調和装置の室外機。
【請求項４】
前記室外熱交換器は、複数の１列熱交換器からなり、
前記ハーネス固定具は、前記１列熱交換器の前面に接する第１面と、前記１列熱交換器の後面に接する第２面とを有し、前記装着部が前記室外熱交換器の前記送風ファン側の前記１列熱交換器に装着される、
請求項２に記載の空気調和装置（１）の室外機（３）。
【請求項５】
前記ハーネス固定具は、前記支持部の先端に爪部（４８ｃ）をさらに有し、
前記爪部は、折り曲げることで前記支持部とともに前記ハーネスを把持可能である、
請求項１から４のいずれかに記載の空気調和装置（１）の室外機（３）。
【請求項６】
前記ハーネス固定具（４８）は、前記支持部（４８ｂ）と向かい合うバネ部（４８ｃ）をさらに有し、
前記バネ部は、板状のバネであり、前記支持部とともに前記ハーネスを把持可能である、
請求項１から４のいずれかに記載の空気調和装置の室外機。
【請求項７】
機械室（Ｓ１）と、前記機械室の側方の第１空間（Ｓ３）から前記機械室の後方の第２空間（Ｓ４）にわたって設けられた通気室（Ｓ２）とに、仕切部材（５６，６０）により仕切られた内部空間を有する室外機ケーシング（５）、
をさらに備え、
前記送風ファンは、前記第１空間に配置され、
前記室外熱交換器は、前記通気室において、前記送風ファンの後方空間から前記第２空間にわたって配置され、
前記電装品ユニットは、前記機械室に配置される、
請求項１から６のいずれかに記載の空気調和装置（１）の室外機（３）。
【請求項８】
前記仕切部材は、その背面側部分に前記ハーネスが貫通する開口（５６ｄ，６０ｄ）を有する、
請求項７に記載の空気調和装置（１）の室外機（３）。
【請求項９】
前記開口は、前記基板よりも背面側に設けられる、
請求項８に記載の空気調和装置（１）の室外機（３）。
【請求項１０】
前記基板の実装面は、正面側を向いている、
請求項１から９に記載の空気調和装置（１）の室外機（３）。
【発明の詳細な説明】
【技術分野】
【０００１】
本発明は、空気調和装置の室外機に関する。
【背景技術】
【０００２】
従来、空気調和装置の室外機として、特許文献１のような技術がある。このような、空気調和装置の室外機においては、ファンモータハーネスを電装品ユニット内の基板に配線する際に、機械室までの間で送風ファンの回転部に干渉しないように、最短距離を結ぶなどの対応をしている。このため、ファンモータハーネスは、送風ファンの上部空間に配置されている。また、室外機は、電装品ユニットが収められている機械室と送風ファンのある通風室とに仕切り板により仕切られている。ファンモータハーネスは、この仕切板を貫通しており、送風ファンから電装品ユニットまでを最短距離で結んでいるために、仕切板の送風ファンの近傍部分を貫通している。
【特許文献１】特開２００５−６９５８４号公報
【発明の開示】
【発明が解決しようとする課題】
【０００３】
しかしながら、室外機のコンパクト化や、送風ファンを大型化することによる送風ファンの静音化のニーズがあり、これらを実現させる場合には天板近くまで送風ファンで占められることになる。この場合に、送風ファンの上部空間にファンモータハーネスが配置されていると、送風ファンと干渉し断線などファンモータハーネスを損傷する恐れがある。また、送風ファンを水で洗浄したり、雨が降ったりすることで水が通風室に侵入するような場合に、ファンモータハーネスが貫通している仕切り板の開口から電装品ユニット内に水が侵入して電装品が損傷する恐れがある。これを防止するためには、ファンモータハーネスが貫通している仕切板の開口に防水対策をする必要があり、コストがかかる。
【０００４】
本発明に課題は、ファンモータハーネスが損傷しにくく、かつ、電装品ユニットに水が侵入しにくいように、ファンモータハーネスを配線できる室外機を提供することにある。
【課題を解決するための手段】
【０００５】
第１発明に係る空気調和装置の室外機は、送風ファンと、室外熱交換器と、電装品ユニットと、ハーネスと、ハーネス固定具とを備える。室外熱交換器は、送風ファンの後方に配置される。電装品ユニットは、送風ファンの側方、かつ、室外熱交換器の前方に配置され、基板を収納する。ハーネスは、電装品ユニットから送風ファンへと延びる。ハーネス固定具は、装着部と、支持部とを有する。装着部は、室外熱交換器に装着される。支持部は、ハーネスを支持する。ハーネスは、送風ファンの上側を通過しないようにハーネス固定具により固定される。
【０００６】
本発明では、電装品ユニットと送風ファンとを接続するハーネスが、送風ファンの上側の空間を通過しないようにハーネス固定具により固定されている。これにより、送風ファンとハーネスとが干渉しにくくなるため、ハーネスが送風ファンにより損傷されることを防ぐことができる。
【０００７】
第２発明に係る空気調和装置の室外機は、第１発明に係る空気調和装置の室外機であって、ハーネス固定具は、装着部が室外熱交換器の一部を挟み込んで装着される。
【０００８】
本発明では、ハーネス固定具は、室外熱交換器に確実に装着されるため、ハーネスは室外熱交換器に沿うように配線される。したがって、ハーネスを送風ファンと干渉しにくいように配線できる。
【０００９】
第３発明に係る空気調和装置の室外機は、第２発明に係る空気調和装置の室外機であって、室外熱交換器は、１列熱交換器からなる。ハーネス固定具は、第１面と、第２面とを有する。第１面は、１列熱交換器の前面に接する。第２面は、１列熱交換器の後面に接する。
【００１０】
本発明では、ハーネス固定具は、室外熱交換器が１列熱交換器の場合に、室外熱交換器の前面と後面とを挟み込んで装着される。１列熱交換器の前面と後面とを挟み込んで装着するため、容易に装着できる。
【００１１】
第４発明に係る空気調和装置の室外機は、第２発明に係る空気調和装置の室外機であって、室外熱交換器は、複数の１列熱交換器からなる。ハーネス固定具は、第１面と、第２面とを有する。第１面は、１列熱交換器の前面に接する。第２面は、１列熱交換器の後面に接する。また、ハーネス固定具は、装着部が室外熱交換器の送風ファン側の１列熱交換器に装着される。
【００１２】
本発明では、ハーネス固定具は、室外熱交換器が複数の１列熱交換器で構成される場合に、送風ファン側の１列熱交換器を挟み込んで装着される。
【００１３】
したがって、１列熱交換器が複数列あるような室外熱交換器の場合にも、１列熱交換器のハーネス固定具を流用して装着可能である。このため、部品の種類を少なくすることができ、生産コストを抑えることができる。
【００１４】
第５発明に係る空気調和装置の室外機は、第１発明から第４発明のいずれかに係る空気調和装置の室外機であって、ハーネス固定具は、支持部の先端に爪部をさらに有する。爪部は、折り曲げることで支持部とともにハーネスを把持可能である。
【００１５】
本発明では、ハーネス固定具は、支持部の先端に爪部を有しており、折り曲げられた爪部と支持部とでハーネスを把持している。
【００１６】
したがって、爪部を折り曲げることで、爪部と支持部とでハーネスを把持することができる。ハーネス固定具は、単にハーネスを支持するだけでなく、把持することができる。このため、ハーネス固定具は、ハーネスを室外熱交換器の側面に確実に配線することができる。これにより、ハーネスを送風ファンの上側を通過しないように配線することができる。
【００１７】
第６発明に係る空気調和装置の室外機は、第１発明から第４発明のいずれかに係る空気調和装置の室外機であって、ハーネス固定具は、支持部と向かい合うバネ部をさらに有する。バネ部は、板状のバネであり、支持部とともにハーネスを把持可能である。
【００１８】
本発明では、ハーネス固定具は、支持部と向かい合うバネ部を有しており、バネ部と支持部とでハーネスを把持している。バネ部を設けることで、ハーネス固定具は、単にハーネスを支持するだけでなく、把持することができる。このため、ハーネス固定具は、ハーネスを室外熱交換器の側面に確実に配線することができる。これにより、ハーネスを送風ファンの上側を通過しないように配線することができる。また、バネ部と支持部との間にハーネスを挿入するだけでハーネスを把持することができ、室外機製造の作業工程を簡略化することができる。
【００１９】
第７発明に係る空気調和装置の室外機は、第１発明から第６発明のいずれかに係る空気調和装置の室外機であって、室外機ケーシングをさらに備える。室外機ケーシングは、内部空間を有する。内部空間は、機械室と、通気室とに、仕切部材により仕切られる。通気室は、機械室の側方の第１空間から機械室の後方の第２空間にわたって設けられる。送風ファンは、第１空間に配置される。室外熱交換器は、通気室において、送風ファンの後方空間から第２空間にわたって配置される。電装品ユニットは、機械室に配置される。
【００２０】
本発明では、機械室と通気室とに仕切部材により仕切られた室外機ケーシングを有している。通気室は、送風ファンにより積極的に外気を取り入れるために、雨水などが入り込みやすい。このため、通気室と機械室とを仕切部材で区切ることで、機械室内に雨水が入り込まないようにすることができ、機械室内の雨水に弱い例えば圧縮機や電装品ユニットを雨水から保護することができる。
【００２１】
第８発明に係る空気調和装置の室外機は、第７発明に係る空気調和装置の室外機であって、仕切部材は、その背面側部分にハーネスが貫通する開口を有する。
【００２２】
本発明では、ハーネスは、仕切部材の背面側部分に設けられた開口を貫通して、電装品ユニットと接続されている。開口が、従来技術のような仕切部材の送風ファン近傍部分ではなく、背面側部分に設けられているために、送風ファンを水で洗浄したり、雨が降ったりすることで水が通風室に侵入するような場合であっても、電装品ユニット内に雨水が浸入しにくくすることができる。
【００２３】
第９発明に係る空気調和装置の室外機は、第８発明にかかる空気調和装置の室外機であって、開口は、基板よりも背面側に設けられる。
【００２４】
本発明では、仕切板に設けられる開口が基板よりも背面側に配置されている。このように、送風ファンから遠い位置に開口を設けているため、送風ファンを水で洗浄したり、雨が降ったりすることで水が通風室に侵入するような場合に、開口から電装品ユニット内に水が侵入しにくくできる。このため、開口に防水対策をほとんどしなくとも電装品ユニット内に水が入ることが原因で起こる電装品の損傷を防ぐことができる。
【００２５】
第１０発明に係る空気調和装置の室外機は、第１発明から第９発明に係る空気調和装置の室外機であって、基板の実装面は、正面側を向いている。
【００２６】
本発明では、電装品ユニット内の電装品が実装されている基板の実装面が正面を向いている。雨水等の水分の侵入の恐れがある仕切板側を実装面が向いていないため、水分の侵入がある場合でも極力電装品の回路の損傷を防ぐことができる。
【発明の効果】
【００２７】
第１発明に係る空気調和装置の室外機では、電装品ユニットと送風ファンとを接続するハーネスが、送風ファンの上側の空間を通過しないようにハーネス固定具により固定されている。これにより、送風ファンとハーネスとが干渉しにくくなるため、ハーネスが送風ファンにより損傷されることを防ぐことができる。
【００２８】
第２発明に係る空気調和装置の室外機では、ハーネス固定具は、室外熱交換器に確実に装着されるため、ハーネスは室外熱交換器に沿うように配線される。したがって、ハーネスを送風ファンと干渉しにくいように配線できる。
【００２９】
第３発明に係る空気調和装置の室外機では、ハーネス固定具は、室外熱交換器が１列熱交換器の場合に、室外熱交換器の前面と後面とを挟み込んで装着される。１列熱交換器の前面と後面とを挟み込んで装着するため、容易に装着できる。
【００３０】
第４発明に係る空気調和装置の室外機では、１列熱交換器が複数列あるような室外熱交換器の場合にも、１列熱交換器のハーネス固定具を流用して装着可能である。このため、部品の種類を少なくすることができ、生産コストを抑えることができる。
【００３１】
第５発明に係る空気調和装置の室外機では、爪部を折り曲げることで、爪部と支持部とでハーネスを把持することができる。ハーネス固定具は、単にハーネスを支持するだけでなく、把持することができる。このため、ハーネス固定具は、ハーネスを室外熱交換器の側面に確実に配線することができる。これにより、ハーネスを送風ファンの上側を通過しないように配線することができる。
【００３２】
第６発明に係る空気調和装置の室外機では、ハーネス固定具は、支持部と向かい合うバネ部を有しており、バネ部と支持部とでハーネスを把持している。バネ部を設けることで、ハーネス固定具は、単にハーネスを支持するだけでなく、把持することができる。このため、ハーネス固定具は、ハーネスを室外熱交換器の側面に確実に配線することができる。これにより、ハーネスを送風ファンの上側を通過しないように配線することができる。また、バネ部と支持部との間にハーネスを挿入するだけでハーネスを把持することができ、室外機製造の作業工程を簡略化することができる。
【００３３】
第７発明に係る空気調和装置の室外機では、機械室と通気室とに仕切部材により仕切られた室外機ケーシングを有している。通気室は、送風ファンにより積極的に外気を取り入れるために、雨水などが入り込みやすい。このため、通気室と機械室とを仕切部材で区切ることで、機械室内に雨水が入り込まないようにすることができ、機械室内の雨水に弱い例えば圧縮機や電装品ユニットを雨水から保護することができる。
【００３４】
第８発明に係る空気調和装置の室外機では、ハーネスは、仕切部材の背面側部分に設けられた開口を貫通して、電装品ユニットと接続されている。開口が、従来技術のような仕切部材の送風ファン近傍部分ではなく、背面側部分に設けられているために、送風ファンを水で洗浄したり、雨が降ったりすることで水が通風室に侵入するような場合であっても、電装品ユニット内に雨水が浸入しにくくすることができる。
【００３５】
第９発明に係る空気調和装置の室外機では、仕切板に設けられる開口が基板よりも背面側に配置されている。このように、送風ファンから遠い位置に開口を設けているため、送風ファンを水で洗浄したり、雨が降ったりすることで水が通風室に侵入するような場合に、開口から電装品ユニット内に水が侵入しにくくできる。このため、開口に防水対策をほとんどしなくとも電装品ユニット内に水が入ることが原因で起こる電装品の損傷を防ぐことができる。
【００３６】
第１０発明に係る空気調和装置の室外機では、電装品ユニット内の電装品が実装されている基板の実装面が正面を向いている。雨水等の水分の侵入の恐れがある仕切板側を実装面が向いていないため、水分の侵入がある場合でも極力電装品の回路の損傷を防ぐことができる。
【発明を実施するための最良の形態】
【００３７】
＜空気調和装置の全体構成＞
本発明の一実施形態が採用された空気調和装置１の外観を図１に示す。
【００３８】
この空気調和装置１は、室内の壁面などに取り付けられる室内機２と、室外に設置される室外機３とを備えている。
【００３９】
室内機２内には室内熱交換器７０が収納され、室外機３内には室外熱交換器３０が収納されており、各熱交換器３０，７０が冷媒配管４により接続されることにより冷媒回路を構成している（図２参照）。
【００４０】
＜空気調和装置の冷媒回路の構成概略＞
空気調和装置１の冷媒回路の構成を図２に示す。この冷媒回路は、主として室内熱交換器７０、アキュムレータ３１、圧縮機３２、四路切換弁３３、室外熱交換器３０および電動膨張弁３４で構成される。
【００４１】
室内機２に設けられている室内熱交換器７０は、接触する空気との間で熱交換を行う。また、室内機２には、室内空気を吸い込んで室内熱交換器７０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって回転駆動される。
【００４２】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して液冷媒連絡配管４１に接続されており、この液冷媒連絡配管４１を介して室内熱交換器７０の一端と接続される。また、四路切換弁３３は、ガス閉鎖弁３７を介してガス冷媒連絡配管４２に接続されており、このガス冷媒連絡配管４２を介して室内熱交換器７０の他端と接続されている。この液冷媒連絡配管４１およびガス冷媒連絡配管４２は、図１の冷媒配管４に相当する。また、室外機３には、室外熱交換器３０での熱交換後の空気を外部に排出するための送風ファン３８が設けられている。この送風ファン３８は、ファンモータ３９によって回転駆動される。
【００４３】
以下、室外機３の構成について詳細に説明する。
【００４４】
＜室外機の構成＞
室外機３は、図３に示すように、室外機ケーシング５（図１参照）、圧縮機３２、四路切換弁３３、電動膨張弁３４（図２参照）、閉鎖弁３６，３７、リアクタ４０、電装品ユニット４３、室外熱交換器３０、送風ファン３８、ファンモータ３９、ファンモータ台４４、ベルマウス４５などを備えている。
【００４５】
室外機ケーシング５は、主として、天板５０、底板５１、前板５２、左側板５３、右側板５４、閉鎖弁カバー５５、仕切板５６を有している。
【００４６】
天板５０は、室外機３の上面に配置され、室外機３の内部空間の上面を覆う。天板５０は、板金で形成されている。また、天板５０の縁は鉛直方向下向きに屈曲されており、屈曲された部分のうち前側に位置する天板前部５８には、前板５２を固定するための固定手段として螺子穴が設けられている。
【００４７】
底板５１は、室外機３の下面に配置され、室外機３の内部空間の下方を覆う。底板５１は板金で形成されている。また、底板５１の縁は鉛直方向上向きに屈曲されており、屈曲された部分のうち前側に位置する底板前部５７には、前板５２を固定するための固定手段として螺子穴が設けられている。
【００４８】
前板５２は、ポリプロピレンなどの樹脂から形成されており、室外機３の前面に設けられる。前板５２は、ベルマウス４５やファンモータ台４４の前面側に配置されている。前板５２の上端と下端とにはそれぞれ螺子穴が設けられており、前板５２の螺子穴と、天板前部５８と底板前部５７とに設けられた螺子穴とに螺子が通されて、前板５２と天板５０とが螺子止めされ、また、前板５２と底板５１とが螺子止めされる。また、前板５２には、複数のスリット状の吹出し孔５９が設けられている。送風ファン３８によって生成され、室外機３の背面から通気室Ｓ２に吸い込まれた空気流は、この吹出し孔５９を通って室外機３の外部へと排出される。また、吹出し孔５９が設けられた部分の中央近傍には、吹出し孔５９が設けられていない円形の中実部６１が設けられており、この中実部６１は正面視においてファンモータ３９と重なる位置に配置される。
【００４９】
左側板５３は、室外機３の左側面に配置され、室外機３の内部空間の左側方を覆う。左側板５３は板金で形成されている。
【００５０】
右側板５４は、室外機３の内部空間の右側方を覆っている。右側板５４は板金で形成されている。また、右側板５４のさらに右側方すなわち外側には、樹脂製の閉鎖弁カバー５５が取り付けられる。
【００５１】
仕切板５６は、底板５１に対して垂直に設けられる。仕切板５６は、上面視において略Ｌ字型に屈曲した形状を有しており、室外機３の前後方向に略平行な第１仕切部５６ａと、第１仕切部５６ａの後端から右側板５４へ向かって延設された第２仕切部５６ｂとを有している。第１仕切部５６ａは、室外機３の前面から背面へ向かって延びる平板状の部材である。図４に示すように、第１仕切部５６ａの前端は室外機３の前面まで達しているが、後端は室外機３の背面までは達しておらず背面の前方に位置している。第２仕切部５６ｂは、第１仕切部５６ａの後端から連続して右側板５４へ向かって延びる平板状の部材である。第２仕切部５６ｂは、室外機３の背面よりも前方に位置しており、その左側端は第１仕切部５６ａの後端と連続し、その右側端は右側板５４の後部に達している。仕切板５６は、室外機ケーシング５の内部を機械室Ｓ１と通気室Ｓ２とに仕切る。機械室Ｓ１は、仕切板５６と右側板５４と前板５２の右側の一部とに囲まれる空間であり、雨風の侵入が抑えられている。従って、機械室Ｓ１には、図４および図５に示すように、電装品ユニット４３や圧縮機３２などの風雨から保護する必要のある機械部品の多くが収容される。室外機ケーシング５の他の空間は、室外機３の外部から取り込まれ室外熱交換器３０を通って室外へと排出される空気が通る通気室Ｓ２となっている。図６に示すように、通気室Ｓ２は第１空間Ｓ３と第２空間Ｓ４とを有しており、機械室Ｓ１の側方の第１空間Ｓ３から機械室Ｓ１の後方の第２空間Ｓ４にわたって設けられている。第１空間Ｓ３は、第１仕切部５６ａの左側に位置しており、室外機３の前面と背面および左側板５３と第１仕切部５６ａに囲まれている。第２空間Ｓ４は第２仕切部５６ｂの後方に位置しており、第２仕切部５６ｂ、室外機３の背面および右側板５４に囲まれている。また、第２仕切部５６ｂの上部には、機械室Ｓ１から通気室Ｓ２の第２空間Ｓ４へと連通する開口からなる放熱フィン突出孔５６ｃが設けられている（図３および図４参照）。さらに、第２仕切部５６ｂの右端側の上端部には後述するファンモータハーネス４６が貫通する切欠部５６ｄが設けられている（図４参照）。
【００５２】
なお、図５は、室外機３の構成の一部を示す斜視概観図である。図６は、室外機３の構成の一部を示す上面図である。また、図５および図６においては、理解の容易のために一部の構成を省略して記載している。
【００５３】
圧縮機３２は、機械室Ｓ１に配置されており、底板５１に固定される。四路切換弁３３は、圧縮機３２の側方に配置される。電動膨張弁３４（図２参照）は、圧縮機３２と同様に機械室Ｓ１に配置され、圧縮機３２の側方に配置される。閉鎖弁３６，３７は、右側板５４の下方に配置される。リアクタ４０は、第１仕切部５６ａの機械室Ｓ１側の側壁に配置される。
【００５４】
電装品ユニット４３は、機械室Ｓ１の上部に配置される。電装品ユニット４３には、各種装置の制御を行うためのマイクロコンピュータチップや制御プログラムを格納するメモリなどの制御回路、その他の制御部品が内装されており、圧縮機３２、四路切換弁３３、電動膨張弁３４、ファンモータ３９、およびリアクタ４０と接続される。電装品ユニット４３については後に詳細に説明する。
【００５５】
室外熱交換器３０は、通気室Ｓ２に配置されており、通過する空気との間で熱交換を行う。室外熱交換器３０は、２つのクロスフィン式の１列熱交換器（正面側の第１室外熱交換器３０ａおよび背面側の第２室外熱交換器３０ｂ）が２列並んで構成されている（図３および図６参照）。また、室外熱交換器３０は、第１室外熱交換器３０ａおよび第２室外熱交換器３０ｂが室外機３の背面および左側板５３に沿って設けられている。そして、第１室外熱交換器３０ａは、背面に略平行な第１熱交換部３０ｃと左側板５３に平行な第２熱交換部３０ｄとを有する略Ｌ字形状の形状を有している。また、第２室外熱交換器３０ｂも、第１室外熱交換器３０ａと同様に、背面に略平行な第３熱交換部３０ｅと左側板５３に平行な第４熱交換部３０ｆとを有する略Ｌ字形状の形状を有している。図６に示すように、第１熱交換部３０ｃおよび第３熱交換部３０ｅは、第１空間Ｓ３の送風ファン３８の後方空間および第２空間Ｓ４に位置しており、第１熱交換部３０ｃおよび第３熱交換部３０ｅの右側端は、機械室Ｓ１の後方であって右側板５４の近傍まで達している。すなわち、第１熱交換部３０ｃおよび第３熱交換部３０ｅは、第１空間Ｓ３および第２空間Ｓ４にわたって配置されている。第２熱交換部３０ｄおよび第４熱交換部３０ｆは、第１空間Ｓ３の送風ファン３８の左側方に位置しており、左側板５３に近接して配置される。
【００５６】
送風ファン３８は、複数の羽を有するプロペラファンであり、通気室Ｓ２の第１空間Ｓ３に配置されている。送風ファン３８は、通気室Ｓ２の第１空間Ｓ３のうち室外熱交換器３０の下流側に位置しており、第１熱交換部３０ｃおよび第３熱交換部３０ｅの前方に位置している。図６に示すように、送風ファン３８は、上面視において、通気室Ｓ２の第１空間Ｓ３の略中央に配置されており、第１仕切部５６ａの左側方に位置している。送風ファン３８は、ファンモータ３９の回転軸に固定され、ファンモータ３９によって前後方向に平行な軸を中心に回転駆動される。送風ファン３８によって生成された空気流は、室外機３の背面側から通気室Ｓ２へと取り込まれ、室外熱交換器３０、ベルマウス４５、前板５２の吹出し孔５９を通って、室外機３の外部へと排出される。
【００５７】
ベルマウス４５は、ポリプロピレンなどの樹脂から形成されており、送風ファン３８によって生成され室外へと吹き出す空気流を案内する空気経路を形成する。ベルマウス４５は、前板５２の内面に沿って前板５２の内面に固定され、送風ファン３８の周囲を覆うように配置される。送風ファン３８によって生成された空気流は、外部から室外機３の背面側を通って通気室Ｓ２に取り込まれ、室外熱交換器３０を通り、ベルマウス４５の開口および前板５２の吹出し孔５９を通って室外機３の外部へと吹き出す。
【００５８】
ファンモータ３９は、後面側から送風ファン３８に取り付けられる。ファンモータ３９は、回転軸が室外機３の前後方向に平行に位置するように配置される。ファンモータ３９の回転軸は送風ファン３８の回転中心に固定され、ファンモータ３９は送風ファン３８を回転駆動する。
【００５９】
また、ファンモータ３９は、制御回路との制御信号を伝送可能なファンモータハーネス４６により電装品ユニット４３に接続されている。このファンモータハーネス４６は、ファンモータ３９の背面側に接続されており、ファンモータ台４４に沿ってファンモータ台４４の上端まで延びている。そして、ファンモータ台４４の上端から室外熱交換器３０の上端に沿って、室外熱交換器３０の室外機３の右端側まで延び、室外機３の右端側から後述する電装品ユニット４３の右側面を通って電装品ユニット４３の正面側から第２制御基板８６（後述参照）に接続されている。このとき、ファンモータハーネス４６は、電装品ユニット４３の背面側で、かつ、室外熱交換器３０の上端に備えられるハーネス固定具４７によって室外熱交換器３０の上部に固定されている。図７に、ハーネス固定具４７の装着状態図を示す。ハーネス固定具４７は、室外熱交換器３０に装着可能な装着部４７ａと、ファンモータハーネス４６を支持する支持部４７ｂと、ファンモータハーネス４６を支持部４７ｂとともに固定可能な爪部４７ｃとを有している。装着部４７ａは、第１室外熱交換器３０ａの前面と後面とに接する第１面４７ｄと第２面４７ｅとを有している（図７および図８のハッチング部分参照）。そして、装着部４７ａは、第１面４７ｄが第１室外熱交換器３０ａの第１熱交換部３０ｃの前面に接し、第２面４７ｅが第１室外熱交換器３０ａの第１熱交換部３０ｃの後面に接しており、確実に装着されている（図７参照）。支持部４７ｂおよび爪部４７ｃは、ファンモータハーネス４６を支持部４７ｂに乗せた後に爪部４７ｃを折り曲げることでファンモータハーネス４６を挟み込んで、ファンモータハーネス４６を固定している（図８参照）。このように、ハーネス固定具４７は、装着部４７ａによって室外熱交換器３０に装着されて、支持部４７ｂおよび爪部４７ｃによりファンモータハーネス４６をハーネス固定具４７に固定することにより、ファンモータハーネス４６を室外熱交換器３０に沿うように配線できる。
【００６０】
ファンモータ台４４は、ファンモータ３９が固定されファンモータ３９を支持する部材であり、板金から形成されている。ファンモータ台４４は、図５および図６に示すように、送風ファン３８およびファンモータ３９の後面側に配置されている。ファンモータ台４４は、室外熱交換器３０の前面側に沿って底板５１から延びており、前板の上部と室外熱交換器３０の上部とにわたって固定される。従って、ファンモータ台４４は、前板５２を基準にして位置決めされる。
【００６１】
＜電装品ユニットの構成＞
電装品ユニット４３は、図５に示すように、機械室Ｓ１の上部に収容される。電装品ユニット４３は、図９に示すように、電装品ユニット本体８１、制御基板８２および放熱フィン８３を有している。
【００６２】
（１）電装品ユニット本体
電装品ユニット本体８１は、制御基板８２を内部に収容する。電装品ユニット本体８１は、弾性を有する樹脂材料から一体成型された箱状の形状を有し、前面に第１開口８４が設けられている。なお、電装品ユニットの構成の説明においていう「前面」は、電装品ユニット４３が機械室Ｓ１に取り付けられた状態における室外機３の前面側に位置する電装品ユニット本体８１の面をいう。第１開口８４は、電装品ユニット本体８１の前面全体にわたって設けられており、この第１開口８４を通して制御基板８２が電装品ユニット本体８１の内部に取り付けられる。また、電装品ユニット本体８１の背面部分は、一部が後方へ向けて隆起した形状となっている。すなわち、電装品ユニット本体８１は、図１０に示すように、内部に収容される第１制御基板８５と第２制御基板８６との形状に合わせた形状となっており、第１部８７と第２部８８とを有する。第１部８７は、第１制御基板８５を内部に収容する部分であり、電装品ユニット本体８１の奥側に位置する後方へと隆起する部分である。第２部８８は、第２制御基板８６を内部に収容する部分であり、第１開口８４と第１部８７との間に位置し第１開口８４に隣接する。なお、ここでいう「奥側」とは、電装品ユニット本体８１の第１開口８４の反対側であり、電装品ユニット本体８１の背面側をいう。第１部８７は、第１開口８４からみて第２部８８よりも小さい形状に形成されている。また、図９に示すように、電装品ユニット本体８１の背面部分には、第１部８７に隣接して第２開口８９が設けられている。第２開口８９は、第１開口８４に対向して電装品ユニット本体８１の背面側に設けられており、図１０に示すように、電装品ユニット本体８１の外側へと突出する放熱フィン８３が通る。なお、図１０は、室外機３に取り付けられた状態における電装品ユニット４３の上面図である。
【００６３】
（２）制御基板
制御基板８２には、第１制御基板８５と第２制御基板８６とがあり、図９および図１０に示すように、それぞれ非実装面を対向させて互いに平行に配置され、第１制御基板８５が電装品ユニット本体８１の奥側に、第２制御基板８６が電装品ユニット本体８１の第１開口８４側に配置される。
【００６４】
第１制御基板８５は、第１開口８４を通って電装品ユニット本体８１内に第１開口８４に略平行に取り付けられる。従って、第１制御基板８５は、電装品ユニット本体８１に取り付けられた状態において、鉛直方向に平行に取り付けられ、室外機３の前面に平行な状態となる。なお、第１制御基板８５の電装品ユニット本体８１への取付け方向は、第１制御基板８５に垂直な方向すなわち第１開口８４に垂直な方向であり、実装面を背面側に向けて電装品ユニット本体８１へと取り付けられる。
【００６５】
第２制御基板８６は、第１開口８４を通って第１制御基板８５と第１開口８４との間に第１制御基板８５に対して略平行に取り付けられる。従って、第２制御基板８６は、鉛直方向に平行に取り付けられ、室外機３の前面に平行な状態となる。第２制御基板８６の電装品ユニット本体８１への取付け方向も第１制御基板８５に垂直な方向すなわち第２制御基板８６に垂直な方向であり、実装面を前面側すなわち第１開口８４側に向けて取り付けられる。
【００６６】
（３）放熱フィン
放熱フィン８３は、図１０に示すように、第２制御基板８６に実装された発熱部品に接触して設けられる。放熱フィン８３の先端は、電装品ユニット本体８１の第２開口８９から突出している。電装品ユニット４３が機械室Ｓ１に取り付けられた状態では、放熱フィン８３は、図４および図６に示すように、仕切板５６の放熱フィン突出孔５６ｃ（図３参照）を通って機械室Ｓ１から通気室Ｓ２の第２空間Ｓ４へと突出する。放熱フィン８３の先端は、第２空間Ｓ４において室外熱交換器３０の第１熱交換部３０ｃと対向し、放熱フィン８３は、仕切板５６の送風ファン３８側の最端位置すなわち左側端よりも機械室Ｓ１側に配置される。
【００６７】
＜特徴＞
（１）
本発明では、電装品ユニット４３と送風ファン３８とを接続するファンモータハーネス４６が、送風ファン３８の上側の空間を通過しないようにハーネス固定具４７により固定されている。また、ハーネス固定具４７は、室外熱交換器３０に装着されているため、ファンモータハーネス４６は室外熱交換器３０に沿うように配線される。
【００６８】
このような構成により、送風ファン３８とファンモータハーネス４６とが干渉しにくくなるため、ファンモータハーネス４６が送風ファン３８により損傷されることを防ぐことができる。また、ファンモータハーネス４６を送風ファン３８と干渉しにくいように配線できる。
【００６９】
（２）
本発明では、ハーネス固定具４７は、支持部４７ｂの先端に爪部４７ｃを有しており、折り曲げられた爪部４７ｃと支持部４７ｂとでファンモータハーネス４６を把持している。
【００７０】
したがって、爪部４７ｃを折り曲げることで、爪部４７ｃと支持部４７ｂとでファンモータハーネス４６を把持することができる。ハーネス固定具４７は、単にファンモータハーネス４６を支持するだけでなく、把持することができる。このため、ハーネス固定具４７は、ファンモータハーネス４６を室外熱交換器３０の側面に配線することができる。これにより、ファンモータハーネス４６を送風ファン３８の上側を通過しないように配線することができる。
【００７１】
（３）
本発明では、ファンモータハーネス４６は、仕切板５６の背面側部分の第２仕切部５６ｂに設けられた切欠部５６ｄを貫通して、電装品ユニット４３と接続されている。切欠部５６ｄが、従来技術のような仕切板５６の送風ファン側部分の第１仕切部５６ａではなく、第２仕切部５６bに設けられているために、送風ファン３８を水で洗浄したり、雨が降ったりすることで水が通風室Ｓ２に侵入するような場合であっても、電装品ユニット４３内に雨水が浸入しにくくすることができる。
【００７２】
＜変形例＞
（１）
本実施形態では、１列熱交換器が２列並んで室外熱交換器３０が構成されているが、これに限らずに、例えば１列熱交換器が１列であっても良いし、１列熱交換器が３列、あるいは、４列以上並んでいても良い。ハーネス固定具４７は、このように室外熱交換器が１列のみの１列熱交換器の場合には、その１列熱交換器に装着され、１列熱交換器が３列以上になる場合には、最も送風機側に近い位置にある１列熱交換器に装着される。
【００７３】
したがって、室外熱交換器が１列、あるいは、３列以上並んで構成されている場合においても、本実施形態で利用したハーネス固定具４７を流用して装着可能である。このため、部品の種類を少なくすることができ、生産コストを抑えることができる。
【００７４】
（２）
本実施形態では、ハーネス固定具４７は、支持部４７ｂと爪部４７ｃとにより、ファンモータハーネス４６を固定しているが、これに限らず、図１１のハーネス固定具４８のように、支持部４８ｂとバネ部４８ｃとでファンモータハーネス４６を固定するようにしても構わない。このハーネス固定具４８では、装着部４８ａと、支持部４８ｂ、バネ部４８ｃとを有している。バネ部４８ｃは、支持部４８ｂと向かい合う位置に設けられており、バネ部４８ｃと支持部４８ｂとでファンモータハーネス４６を把持している。このハーネス固定具４８の装着部４８ａも、本実施形態におけるハーネス固定具４７の装着部４７ａと同様に、第１面４８ｄおよび第２面４８ｅを有する。
【００７５】
バネ部４８ｃを設けることで、ハーネス固定具４８は、単にハーネスを支持するだけでなく、把持することができる。このため、ハーネス固定具４８は、ファンモータハーネス４６を室外熱交換器３０の側面に配線することができる。これにより、ファンモータハーネス４６を送風ファンの上側を通過しないように配線することができる。また、支持部４８ｂとバネ部４８ｃとの間にファンモータハーネス４６を挿入するだけでファンモータハーネス４６を把持することができ、室外機製造の作業工程を簡略化することができる。
【００７６】
（３）
本実施形態では、仕切板５６は第２仕切部５６ｂの上端部に切欠部５６ｄを有しており、ファンモータハーネス４６は切欠部５６ｄを貫通して、機械室Ｓ１に設けられたファンモータ３９から通気室Ｓ２に設けられた電装品ユニット４８に接続されているが、ファンモータハーネス４６が仕切板５６を貫通する開口は本実施形態のような切欠部５６ｄに限らずに、例えば、図１２のような仕切板６０の設けられる貫通孔５６ｄであっても構わない（図１２参照）。この仕切板６０も本実施形態の仕切板５６と同様に、第１仕切部６０ａおよび第２仕切部６０ｂを有しており、第１仕切部６０ａには、放熱フィン突出孔６０ｃ
が設けられる。
【００７７】
（４）
本実施形態では、制御基板８２が２枚有り、ファンモータハーネス４６が接続される第２制御基板８６は、正面側を向いているが、ファンモータハーネス４６が接続される制御基板は、正面側以外の面を向いていても構わない。ただし、実装されている電装品を雨水等から保護する観点からは、正面側を向いている方が好ましい。
【００７８】
（５）
本実施形態では、ファンモータハーネス４６を室外熱交換器３０に沿うように１つのハーネス固定具４７により配線しているが、これに限らずに、ハーネス固定具４７を２つ以上使用しても構わない。
【産業上の利用可能性】
【００７９】
本発明に係る空気調和装置の室外機は、ファンモータハーネスが損傷されることを防ぐことができ、空気調和装置の室外機等として有用である。
【図面の簡単な説明】
【００８０】
【図１】空気調和装置の外観図。
【図２】冷媒回路の構成図。
【図３】室外機の分解斜視図。
【図４】仕切板の拡大斜視図。
【図５】室外機の構成の一部を示す斜視図。
【図６】室外機の構成の一部を示す上面図。
【図７】ハーネス固定具の装着状態図。
【図８】ハーネス固定具の爪部の折り曲げ状態の詳細図。
【図９】電装品ユニットの分解斜視図。
【図１０】電装品ユニットの上面図。
【図１１】変形例（２）に係るハーネス固定具の斜視図。
【図１２】変形例（３）に係る仕切板の拡大斜視図。
【符号の説明】
【００８１】
１          空気調和装置
３          室外機
５          室外機ケーシング
３０          室外熱交換器
３８          送風ファン
４３          電装品ユニット
４６          ファンモータハーネス（ハーネス）
４７          ハーネス固定具
４７ａ        装着部
４７ｂ        支持部
４７ｃ        爪部
４７ｄ        第１面
４７ｅ        第２面
４８          ハーネス固定具
４８ａ        装着部
４８ｂ        支持部
４８ｃ        バネ部
４８ｄ        第１面
４８ｅ        第２面
５６          仕切板（仕切部材）
５６ｄ        切欠部（開口）
６０          仕切板（仕切部材）
６０ｅ        貫通孔（開口）
８６          第２制御基板（基板）
Ｓ１          機械室
Ｓ２          通気室
Ｓ３          第１空間
Ｓ４          第２空間
【図１】
2008138967.tif 000003
【図２】
2008138967.tif 000004
【図３】
2008138967.tif 000005
【図４】
2008138967.tif 000006
【図５】
2008138967.tif 000007
【図６】
2008138967.tif 000008
【図７】
2008138967.tif 000009
【図８】
2008138967.tif 000010
【図９】
2008138967.tif 000011
【図１０】
2008138967.tif 000012
【図１１】
2008138967.tif 000013
【図１２】
2008138967.tif 000014